(57)【要約】【課題】無影灯装置本来の機能や診療椅子等の他の装置の機能についての使い勝手が制限されることなく、容易に拡大鏡を用いた診療を行うことができる無影灯装置を提供する。【解決手段】この無影灯装置２は、基端が床面などに固定された第１アーム２１と、第１アーム２１の先端に、上下方向において回動自在となるよう基端が連結された第２アーム２２と、第２アーム２２の先端に連結された無影灯本体２３と、第１アーム２１に基端が連結された拡大鏡アーム２４と、拡大鏡アーム２４の先端に連結される拡大鏡本体２５と、を備えてなる。【選択図】図２
2010184101.tif 000002
【特許請求の範囲】
【請求項１】
基端が床面、壁、又は天井に固定された第１アームと、
第１アームの先端に、上下方向において回動自在となるよう基端が連結された第２アームと、
第２アームの先端に連結された無影灯本体と、
第１アームに基端が連結された拡大鏡アームと、
拡大鏡アームの先端に連結される拡大鏡本体と、を備えてなることを特徴とする無影灯装置。
【請求項２】
請求項１に記載された無影灯装置において、
前記第１アームは少なくとも水平部を有し、
前記第２アームは該水平部の先端に基端が連結され、
前記拡大鏡アームは該水平部に基端が連結されていることを特徴とする無影灯装置。
【請求項３】
請求項１又は２に記載された無影灯装置において、
前記拡大鏡本体には拡大レンズの縁部に環状に照明灯が設けられていることを特徴とする無影灯装置。
【請求項４】
基端が天井に固定された拡大鏡アームと、
拡大鏡アームの先端に連結される拡大鏡本体と、を備えてなり、
前記拡大鏡本体には拡大レンズの縁部に環状に照明灯が設けられていることを特徴とする診療灯装置。
【発明の詳細な説明】
【技術分野】
【０００１】
本発明は、拡大鏡を備えた無影灯装置及び診察灯装置に関する。
【背景技術】
【０００２】
従来より、歯科診療装置は、歯科医が精密な診療をより安全確実に行えるように様々な提案がされており、その中には、患者の歯などを詳細に観察するために拡大鏡（拡大レンズ）を有するものがある。主なものとしては、頭部に装着する双眼ルーペがある。この双眼ルーペは、患者の歯を拡大して観察したいときは双眼ルーペの拡大レンズを通して観察し、それ以外では前上方向に跳ね上げておく（特許文献１参照）。また、角度や位置が調整可能な拡大鏡が無影灯装置の先端又は診療椅子に取り付けられたものが、特許文献２に提案されている。更に、拡大鏡がハンドピースに着脱可能に取り付けられたものが、特許文献３に提案されている。
【０００３】
また、医科診療装置については、医師が精密な診療をより安全確実に行えるように医療の種類に応じた様々な提案がされている。患者の患部を詳細に観察する目的では、例えば、手術に際しての手術用顕微鏡が日々改良されている。その他には、手術用顕微鏡は構造上視野が狭い点を考慮して、上記の歯科診療装置に似た装置も提案されている。例えば、患部を簡便に拡大観察するために、両眼用の２枚の拡大レンズが診療台に取り付けられたものが特許文献４に提案されている。
【先行技術文献】
【特許文献】
【０００４】
【特許文献１】特開２００３−２０７７２３号公報
【特許文献２】特開２００３−１３５４９５号公報
【特許文献３】特開２００４−２１６０１６号公報
【特許文献４】特開２０００−２７１１４８号公報
【発明の概要】
【発明が解決しようとする課題】
【０００５】
しかしながら、歯科診療装置の双眼ルーペは、拡大レンズと歯科医の眼との間の距離が自由に調整できないために焦点が合いにくく、眼の負担が大きい。また、特許文献２に記載の無影灯装置の先端に拡大鏡を取り付けたものは、拡大鏡の重量のために無影灯装置の無影灯本体が動かし難くなったり歯科医の立つ位置や姿勢が限定されたりして、無影灯装置本来の機能についての使い勝手が制限されるおそれがある。また、同じく特許文献２に記載の診療椅子に拡大鏡を取り付けたものは、患者の近傍に拡大鏡を支持するアームがあるので、診療時及び背もたれの上下動作時において患者或いは歯科医に邪魔となり、診療椅子の機能についての使い勝手が制限されるおそれがある。特許文献３に記載のものは、ハンドピースの動きに合わせて歯科医の眼の位置も移動させなければならず、また、ハンドピースを用いた治療のみに使用が限定されるし、ハンドピースに応じて付けかえる作業も煩雑である。
【０００６】
また、医科診療装置についての特許文献４に記載のものは、特許文献２に記載の診療椅子に拡大鏡を取り付けたものと同様の問題点がある。
【０００７】
本発明は係る事由に鑑みてなされたものであり、その目的は、無影灯装置や診療椅子等の装置の機能についての使い勝手が制限されることなく、容易に拡大鏡を用いた診療を行うことができる無影灯装置又はその一部からなる診療灯装置を提供することにある。
【課題を解決するための手段】
【０００８】
上記目的を達成するために、請求項１に記載の無影灯装置は、基端が床面、壁、又は天井に固定された第１アームと、第１アームの先端に、上下方向において回動自在となるよう基端が連結された第２アームと、第２アームの先端に連結された無影灯本体と、第１アームに基端が連結された拡大鏡アームと、拡大鏡アームの先端に連結される拡大鏡本体と、を備えてなることを特徴とする。
【０００９】
請求項２に記載の無影灯装置は、請求項１に記載された無影灯装置において、前記第１アームは少なくとも水平部を有し、前記第２アームは該水平部の先端に基端が連結され、前記拡大鏡アームは該水平部に基端が連結されていることを特徴とする。
【００１０】
請求項３記載の無影灯装置は、請求項１又は２に記載された無影灯装置において、前記拡大鏡本体には拡大レンズの縁部に環状に照明灯が設けられていることを特徴とする。
【００１１】
請求項４記載の診療灯装置は、基端が天井に固定された拡大鏡アームと、拡大鏡アームの先端に連結される拡大鏡本体と、を備えてなり、前記拡大鏡本体には拡大レンズの縁部に環状に照明灯が設けられていることを特徴とする。
【発明の効果】
【００１２】
本発明の無影灯装置によれば、拡大鏡アームの基端を第１アームに連結し、その基端から拡大鏡アームが下方に延伸しており、拡大鏡本体が診療椅子の枕部近傍に位置し得るので、患者から離隔したところに拡大鏡アームが存在し、更に、無影灯本体が拡大鏡アーム及び拡大鏡本体の重量の影響を受けることはないので、容易に拡大鏡を用いた診療を行うことができるとともに、無影灯装置本来の機能についての使い勝手が制限されることがない。また、本発明の診療灯装置によれば、拡大鏡アームの基端を天井に固定し、その基端から拡大鏡アームが下方に延伸しており、患者から離隔したところに拡大鏡アームが存在するので、容易に拡大鏡を用いた診療を行うことができる。
【図面の簡単な説明】
【００１３】
【図１】本発明の第１の実施形態に係る無影灯装置を含む歯科診療装置の構成例を示す正面図である。
【図２】同上の無影灯装置を含む歯科診療装置の構成例を示す平面図である。
【図３】同上の無影灯装置の第１アームにおける基部アームと回動アームとの連結部の例を示す拡大した正面図と平面図である。
【図４】同上の無影灯装置の第１アームと第２アームの連結部の例を示す拡大した側面図と平面図である。
【図５】同上の無影灯装置の無影灯本体とその近傍の例を示す拡大斜視図である。
【図６】同上の無影灯装置を含む歯科診療装置の別の構成例を示す正面図である。
【図７】同上の無影灯装置の第１アームと拡大鏡アームの連結部の例を示す拡大側面図である。
【図８】同上の無影灯装置の拡大鏡本体及びその近傍の例を示す拡大底面図である。
【図９】同上の無影灯装置の拡大鏡本体の使用状態を示す図である。
【図１０】本発明の第２の実施形態に係る無影灯装置を示す斜視図である。
【図１１】本発明の第３の実施形態に係る診療灯装置を示す斜視図である。
【発明を実施するための形態】
【００１４】
以下、本発明を実施するための好ましい形態を図面を参照しながら説明する。図１、図２は本発明の第１の実施形態に係る無影灯装置２を含む歯科診療装置１の構成例を示すものであって、図１は正面図、図２は平面図である。歯科診療装置１は、無影灯装置２、診療椅子３、スピットン４、口腔外バキューム５、ワーキングテーブル、ハンドピース用装置などから成っている。図１、２では、ワーキングテーブル、ハンドピース用装置などは省略している。診療椅子３、スピットン４、口腔外バキューム５、ワーキングテーブル、ハンドピース用装置などは一般的なものでよく、個々の詳細な説明は省略する。
【００１５】
無影灯装置２について、先ず、患者の歯の状態や歯科医の手元の状態を確認するために患者の口腔内を照明するという本来の機能のために設けられた周知の部位について説明する。無影灯装置２は、基端が床面Ｆに固定された第１アーム２１と、第１アーム２１の先端に、上下において回動自在となるよう基端が連結された第２アーム２２と、第２アーム２２の先端に連結された無影灯本体２３と、を備えている。第１アーム２１の先端の床面Ｆからの高さは、人間の背丈程度である。また、無影灯本体２３は、患者の口腔内に無影光を放射するものである。
【００１６】
第１アーム２１は、無影灯装置２全体を支持するものであり、床面Ｆに固定される他に、壁や天井に固定されてもよい。第１アーム２１は、上下方向に回動しない。第１アーム２１全体が静止しているものとしてもよいし、水平方向に回動するものとしてもよい。第１アーム２１は、その仕様によって、１個の部材から成るものとしても、複数個の部材から成るものとしてもよい。
【００１７】
図１、２に例示した第１アーム２１は、全体的に上下方向に延伸している垂直部２１ａと、垂直部２１ａから屈曲して水平方向（横方向）に延伸している水平部２１ｂとにより大略Ｌ字状をなし、垂直部２１ａが床面Ｆに対して立設されている。垂直部２１ａは、スピットン４、口腔外バキューム５などの装置に更に固定されてもよい。また、図１、２に示す水平部２１ｂは、基部アーム２１ｂａと回動アーム２１ｂｂとで構成され、それらの連結部２ｘの回動軸２ｘａ（図３の（ａ）拡大正面図、（ｂ）拡大平面図での例示を参照。）を軸とした回動により、回動アーム２１ｂｂの先端（すなわち、第１アーム２１の先端）が水平方向に移動（水平方向に回動）可能なようにしている。なお、垂直部２１ａの上部がその中心線（鉛直線）を軸として回動できるようにすることもできる。
【００１８】
図４は、第１アーム２１と第２アーム２２の連結部２ｙの例を示す拡大図であって、（ａ）が側面図、（ｂ）が平面図である。第２アーム２２の基端には凹所２ｙａが形成されており、それに第１アーム２１の先端に形成された凸部２ｙｂが嵌め込まれている。第１アーム２１の凸部２ｙｂには貫通孔が形成されており、軸２ｙｃがその貫通孔に挿通されて第２アーム２２に固定される。この構造により、第２アーム２２は第１アーム２１の先端に上下方向において回動可能に支持される。また、第２アーム２２と第１アーム２１との接触部、すなわち、軸２ｙｃの外周面と第１アーム２１の凸部２ｙｂの貫通孔の内周面との接触部などにおける摩擦により、第２アーム２２がそれより先の重量によって傾かないように静止でき、しかも、歯科医が小さい力で回動できるようになっている。なお、図４に示す例では、鉛直方向の軸２ｙｄを軸とした回動もできるようになっている。
【００１９】
第２アーム２２は、第１アーム２１の先端の高さ、すなわち人間の背丈程度のところから斜め下方に延伸し、その先端が診療椅子３の枕部３ａの位置近傍に配置し得る。第２アーム２２の先端は、取り付けた無影灯本体２３の角度が調整し易い構造になっている。図５は、無影灯本体２３とその近傍の例を示す拡大斜視図である。第２アーム２２の先端部は、任意の角度に調整できる構造になっており、二股に分岐して無影灯本体２３の無影光放射部分２３ａの裏面両側に連結している。
【００２０】
無影灯本体２３は、中央に無影光放射部分２３ａがあり、その左右には、歯科医が無影灯本体部２３の位置や角度の調整のために持つように把持部２３ｂが設けられている。
【００２１】
次に、無影灯装置２について、精密な診療をより安全確実に行うため、歯科医が患者の歯や歯肉などの口腔内の状態を拡大観察して診療する機能のために設けられた部位について説明する。無影灯装置２は、第１アーム２１に基端が連結された拡大鏡アーム２４と、拡大鏡アーム２４の先端に連結される拡大鏡本体２５と、を更に備えている。拡大鏡アーム２４は、人間の背丈程度のところから斜め下方に延伸して拡大鏡本体２５が診療椅子３の枕部３ａの位置近傍に配置し得る。
【００２２】
このように、拡大鏡アーム２４及び拡大鏡本体２５を無影灯装置２の第１アーム２１に取付けているので、患者から離隔したところに拡大鏡アーム２４が存在することになり、容易に拡大鏡本体２５、更に詳しくは後述する拡大レンズ２５ａを用いた診療を行うことができる。診療椅子３やその他の装置の機能についての使い勝手が制限されることもない。更に、拡大鏡アーム２４が第１アーム２１に連結されているので、無影灯本体２３が拡大鏡アーム２４及び拡大鏡本体２５の重量の影響を受けることはない。すなわち、拡大鏡本体２５を第２アーム２２又は無影灯本体２３に連結した場合に比べ、拡大鏡本体２５の重量により第２アーム２２及び無影灯本体２３の位置が静止しなかったり、逆に、拡大鏡本体２５の重量の影響を補うために第２アーム２２と第１アーム２１との接触部の摩擦を大きくしたとしたら、そのことにより、第２アーム２２が小さい力で回動し難くなったりするが、そういうことがない。よって、無影灯装置２の本来の機能についての使い勝手が制限されることない。
【００２３】
また、第１アーム２１において拡大鏡アーム２４が連結される位置は、水平部２１ｂである方が、無影灯本体２３とほぼ同様の操作性を拡大鏡本体２５が得ることができるので好ましいが、図６の正面図に示すように垂直部２１ａの上部であってもよい。また、拡大鏡アーム２４が水平部２１ｂに連結される場合の水平部２１ｂの部材は、基部アーム２１ｂａであっても、図１、２に示したように回動アーム２１ｂｂであっても、どちらでもよい。
【００２４】
拡大鏡アーム２４は、拡大鏡本体２５の位置の調整のために、上下方向及び水平方向に自在に回動又は変形できることが好ましい。図１、２の例では、拡大鏡アーム２４は、第１アーム２１との連結は回動しないよう連結具（図７の拡大側面図に例示の連結具２ｚａ、２ｚｂ、２ｚｃを参照。）により連結部２ｚにおいて強固に固定されており、水平方向に所定の距離まで延伸し、図４に示したのと同様の上下方向に回動する連結部２ｙ’を経てから斜め下方に延伸している。拡大鏡アーム２４の先端部は、取り付けた拡大鏡本体２５の角度が調整し易い構造になっている。なお、拡大鏡アーム２４の先端近くにフレキシブルパイプなどによる可撓性アームを用い、それを自在に変形することにより、拡大鏡本体２５の角度や位置を調整する構造にしてもよい。
【００２５】
図８は、床面Ｆ側から見た拡大鏡本体２５及びその近傍の例を示す拡大底面図である。拡大鏡本体２５は、拡大レンズ２５ａを真中にしてその縁部に環状の照明灯２５ｂが設けられている。拡大レンズ２５ａは、例えば、１．７５〜４倍程度の拡大率である。照明灯２５ｂは、無影灯装置２とは別に拡大レンズ２５ａの位置から拡大観察したい部位の照度を高めるように照明するものであり、例えば、蛍光灯を配置したり、また、多数のＬＥＤを環状に配置したりすることによって形成する。
【００２６】
このような無影灯装置２は次のようにして使用する。歯科医が無影灯装置２の本来の機能を使用するときは、通常、拡大鏡本体２５を使用せず、拡大鏡本体２５の先端部近傍を持って上方に離隔させ適当な位置に保持しておく。そして、無影灯本体２３の把持部２３ｂを持って無影灯本体部２３の位置と角度を決め、無影光を患者の口腔に照射する。歯科医が拡大観察の機能を使用するときは、通常、無影灯本体２３を使用せず、無影灯本体２３の把持部２３ｂを持って上方に離隔させ適当な位置に保持しておく。そして、歯科医は、診療し易いように、拡大鏡本体２５を歯科医の眼と患者の口腔との間に配置し、照明灯２５ｂからの光を患者の口腔に照射しながら拡大レンズ２５ａの位置と角度を調整する。歯科医は、図９の使用状態図に示すように、拡大レンズ２５ａを通して拡大像を見ながら、容易に両手を使って診療を行うことができる。なお、無影灯本体２３と拡大鏡本体２５を同時に使用することも可能である。
【００２７】
以上説明した無影灯装置２は医科診療へも適用可能である。図１０は、本発明の第２の実施形態に係る無影灯装置２’を示す斜視図である。図１０と後述の図１１は、理解を容易にするため、診療台と患者と医師も示している。この無影灯装置２’は手術室などで用いられるものである。無影灯装置２’は、上記の無影灯装置２と構成は同様であるので、各部位の詳細な説明は省略する。但し、図１０に示す構成例では、第１アーム２１（垂直部２１ａ）の基端は、天井に固定用プレート２１ａａを用いて固定されており、また、拡大鏡アーム２４の基端の連結の位置は、第１アーム２１の垂直部２１ａである。なお、これら第１アーム２１の基端の固定位置や拡大鏡アーム２４の基端の連結位置は、無影灯装置２について述べたように、変更が可能である。
【００２８】
図１１は、本発明の第３の実施形態に係る診療灯装置２’’を示す斜視図である。この診療灯装置２’’は無影灯が備え付けられていない診察室などで用いられるものである。診療灯装置２’’は、上記の無影灯装置２’の構成から、垂直部２１ａから拡大鏡本体２５につながる部分を残し、垂直部２１ａから無影灯本体２３につながる部分は削除したものである。
【００２９】
医師は、無影灯装置２’又は診療灯装置２’’を用いて患者の患部を拡大観察するときには、拡大鏡本体２５を医師の眼と患部との間に配置し、拡大レンズ２５ａの縁部に環状に設けられた照明灯２５ｂからの光を患部に照射しながら拡大レンズ２５ａの位置と角度を調整する。そして、拡大レンズ２５ａを通して拡大像を見ながら、容易に両手を使って診療を行うことができる。拡大鏡本体２５を使用しないときは、上方に離隔させ適当な位置に保持しておく。
【００３０】
無影灯装置２’の作用効果は無影灯装置２の作用効果と同様である。診療灯装置２’’の作用効果は、無影灯装置２’の拡大鏡本体２５に関する作用効果と同様に、拡大鏡アーム２４が天井の方から下方に延伸しており、患者から離隔したところに拡大鏡アームが存在するので、容易に拡大鏡を用いた診療を行うことができることである。
【００３１】
以上、本発明の実施形態に係る無影灯装置及び診療灯装置について説明したが、本発明は、上述の実施形態に記載したものに限られることなく、特許請求の範囲に記載した事項の範囲内でのさまざまな設計変更が可能である。例えば、無影灯装置や診療灯装置の具体的な形状は、各図に例示されたものだけではなく、さまざまな形状のものが可能である。また、無影灯装置については、拡大鏡アーム２４と拡大鏡本体２５を備えたものを別体とし、それを従前の無影灯装置に取り付けてもよい。
【符号の説明】
【００３２】
１      歯科診療装置
２、２’  無影灯装置
２’’    診療灯装置
２１    第１アーム
２１ｂ  第１アームの水平部
２２    第２アーム
２３    無影灯本体
２４    拡大鏡アーム
２５    拡大鏡本体
２５ａ  拡大レンズ
２５ｂ  照明灯
【図１】
2010184101.tif 000003
【図２】
2010184101.tif 000004
【図３】
2010184101.tif 000005
【図４】
2010184101.tif 000006
【図５】
2010184101.tif 000007
【図６】
2010184101.tif 000008
【図７】
2010184101.tif 000009
【図８】
2010184101.tif 000010
【図９】
2010184101.tif 000011
【図１０】
2010184101.tif 000012
【図１１】
2010184101.tif 000013